(57)【特許請求の範囲】
【請求項１】
第１空間から第２空間に光を導光する光ダクトに用いられる照明装置であって、
第１分光分布を有する第１光を発する光源と、
前記光ダクトを導光した第２光の第２分光分布を測定する測定部と、
前記第１分光分布及び前記第２分光分布に基づいて、前記第１光と前記第２光とを含む第３光の色度座標を算出し、前記第３光の色度座標を基準色度座標に近づける方向に前記第１分光分布を変化させる制御部と、
を備える照明装置。
【請求項２】
前記第１光は、青色波長域に含まれる第１波長を有する単色光である請求項１に記載の照明装置。
【請求項３】
前記測定部は、前記第２光の青色波長域に含まれる第２波長および黄色波長域に含まれる第３波長のエネルギー量を測定し、
前記制御部は、前記第２波長および前記第３波長のエネルギー量を用いて、前記第３光の色度座標を算出する請求項１または２に記載の照明装置。
【請求項４】
第１空間から第２空間に光を導光する光ダクトに用いられる照明装置であって、
第１分光分布を有する第１光を発する光源と、
前記第１光と前記光ダクトを導光した第２光とを含む第３光の第２分光分布を測定する測定部と、
前記第２分光分布に基づいて、前記第３光の色度座標を算出し、前記第３光の色度座標を予め定める色度座標に近づける方向に前記第１分光分布を変化させる制御部と、
を備える照明装置。
【請求項５】
溝が形成された内側面を有する枠と、
前記溝に嵌合され、前記第２光を透過する面を有する平板と、
をさらに備え、
前記光源は前記平板の前記面に配置され、前記測定部は前記枠の前記内側面に設けられる請求項１乃至４いずれか１項に記載の照明装置。
【請求項６】
前記平板の前記面に配置され、白色光を発する照明光源をさらに備える請求項５に記載の照明装置。
【請求項７】
自然光を採光するための採光部と、
前記自然光を屋内に導光させるダクトと、
前記ダクトを導光した第１光を前記屋内に導入するための放光部と、
前記放光部に設けられ、第２分光分布を有する第２光を発する光源と、
前記放光部の前記光源よりも前記採光部に近い位置に設けられ、前記第１光の第１分光分布を測定する測定部と、
前記第１分光分布及び前記第２分光分布に基づいて、前記第１光と前記第２光とを含む第３光の色度座標を算出し、前記第３光の色度座標を予め定める色度座標に近づける方向に前記第２分光分布を変化させる制御部と、
を備える光ダクト。
【請求項８】
自然光を採光するための採光部と、
前記自然光を屋内に導光させるダクトと、
前記ダクトを導光した第１光を前記屋内に導入するための放光部と、
前記放光部に設けられ、第１分光分布を有する第２光を発する光源と、
前記放光部の前記光源よりも前記採光部から遠い位置に設けられ、前記第１光と前記第２光とを含む第３光の第２分光分布を測定する測定部と、
前記第２分光分布に基づいて、前記第３光の色度座標を算出し、前記第３光の色度座標を予め定める色度座標に近づける方向に前記第１光を制御する制御部と、
を備える光ダクト。
【請求項９】
前記放光部を複数備える請求項７または８に記載の光ダクト。
【発明の詳細な説明】
【技術分野】
【０００１】
本発明の実施形態は、照明装置および光ダクトに関する。
【背景技術】
【０００２】
一般家庭において照明が消費する電力は、「資源エネルギー庁平成16年度電力需給の概要」に拠れば、全消費電力の16.1%である。同様にオフィスにおいて照明が消費する電力は、「資源エネルギー庁  エネルギー白書2010」に拠れば、全消費電力の21.3%である。この数値が示すように、一般家庭、オフィスともに消費電力に対して照明が占める割合は大きい。低炭素社会の実現に向けて照明の低消費電力化が強く望まれている。かかる状況の中、日中の豊富な太陽光（自然光）を、アルミ等の比較的高い反射率を有する鏡面材で作製したダクト内に取り込み、高い反射率の壁面反射を利用して屋内に光を搬送して照明に利用する「光ダクト」が注目されている。
【０００３】
このような光ダクトでは、壁面反射に伴い特定の波長領域の光が減衰することで、ダクト内を伝わって屋内に到達する光は自然光とは異なる色味を帯びる。すなわち、減衰した波長領域とは補色の関係にある波長領域の光の色味が強まる。このように色味が変化した光は、多くの場合照明としては好ましいものではないため、ダクト内を導光した後の光を自然光に近づける等、光の色味を所望の色味に調整する技術が望まれている。
【先行技術文献】
【特許文献】
【０００４】
【特許文献１】特開２００９−１７６６０６号公報
【発明の概要】
【発明が解決しようとする課題】
【０００５】
ダクトを導光した後の光の色味を所望の色味に調整することが可能な照明装置および光ダクトを提供する。
【課題を解決するための手段】
【０００６】
実施形態の照明装置は、第１空間から第２空間に光を導光する光ダクトに用いられる照明装置であって、第１波長を含む第１光を第１光束で発する光源と、前記光ダクトを導光した後の第２光の分光分布を測定する測定部と、前記測定部が測定した前記第２光の分光分布を用いて、前記第１光と前記第２光とを含む第３光の色度座標を算出し、前記第３光の色度座標と予め定める色度座標との距離を減少させる方向に前記第１光束を制御する制御部とを備える。
【０００７】
実施形態の光ダクトは、自然光を採光するための採光部と、前記自然光を屋内に導光させるダクトと、前記ダクトを導光した後の外光を前記屋内に導入するための放光部と、前記放光部に設けられ、第１波長を含む第１光を第１光束で発する光源と、前記放光部の前記光源よりも前記採光部に近い位置に設けられ、前記光ダクトを導光した後の第２光の分光分布を測定する測定部と、前記測定部が測定した前記第２光の分光分布を用いて、前記第１光と前記第２光とを含む第３光の色度座標を算出し、前記第３光の色度座標と予め定める色度座標との距離を減少させる方向に前記第１光束を制御する制御部とを備える。
【図面の簡単な説明】
【０００８】
【図１】第一の実施形態に係る照明装置の構成図。
【図２】第一の実施形態に係る光ダクトの概略図。
【図３】第一の実施形態に係る光ダクトの反射特性を示す図。
【図４】第一の実施形態に係る色度図を示す図。
【図５】第一の実施形態に係る光の色ずれを説明する図。
【図６】第一の実施形態の変形例に係る照明装置の構成図。
【図７】第二の実施形態に係る照明装置の構成図。
【図８】第二の実施形態に係る色度図を示す図。
【図９】第三の実施形態に係る照明装置の構成図。
【図１０】その他の変形例に係る照明装置の構成図。
【発明を実施するための形態】
【０００９】
以下、図面を参照しながら、発明を実施するための実施形態について説明する。
【００１０】
（第一の実施形態）
図１は第一の実施形態に係る照明装置１００の構成図である。図１の照明装置１００は、太陽光を含む自然光を外部（第１空間）から屋内（第２空間）に取り込むための光ダクト２００に設けられる。すなわち、本実施形態の照明装置１００によれば、日中は光ダクト２００から差し込む自然光を照明として用い、夜間は照明装置１００の光源からの光を照明として用いることができる。なお、放光部は１つであってもよいし、複数であってもよい。
【００１１】
光ダクト２００には、大別すると採光部の設置位置や配管の配設方向によって、水平型光ダクトと及び垂直型光ダクトの２種類が存在する。水平型光ダクトは、建物の壁面に自然光を採光するための採光部を有し、配管は例えば建物の天井に対して略水平に配設される。また、垂直型光ダクトは、建物の屋根や屋上に自然光を取り込むための採光部を有し、配管は例えば建物の天井に対して略垂直に配設される。いずれの光ダクトも建物の天井に１つまたは複数の放光部を有している。採光部から採光されて光ダクト内を搬送される光は、上記の放光部から屋内に差し込む。
【００１２】
本実施形態の照明装置１００は、水平型光ダクトおよび垂直型光ダクトの両者に対して用いることができるが、水平型光ダクトに用いる例を説明する。
【００１３】
図２は光ダクト２００の概略図である。図２の光ダクト２００は、自然光を採光する採光部２１０、自然光を屋内に導光させるダクト２２０、ダクト２２０を導光した後の光を屋内に導入する放光部２３０、照明装置１００を備える。ダクト２２０はアルミ等の部材で形成されている。自然光はダクト２２０の内面を反射面として、ダクト２２０内で反射を繰り返しながら屋内に導光する。
【００１４】
このような光ダクト２００では、ダクト２２０内での反射により自然光を屋内へ搬送する過程で光の変色が生じる。すなわち、光の色味が変化する。
【００１５】
図３に可視光域波長に対するダクト２２０の反射特性の一例を示す。なお、図３において、横軸は光の波長、縦軸は光の反射率を表す。ダクト２２０の内面（反射面）には一般的なアルミを用いる。また、実線は、１回反射時、点線は５回反射時の光の反射特性を示している。
【００１６】
図３に示すように、ダクト２２０内を反射する光には、短波長成分の光の反射率が長波長成分の光の反射率に比べて低下する傾向がある。したがって、採光部２１０から取り込んだ自然光は、放光部２３０に到達するまでにダクト２２０内で多数回反射して、自然光に含まれる光のうち短波長成分の光が長波長成分の光よりも減衰する。建物内の奥まった部屋に設けられる放光部２３０や、地下の部屋に設けられる放光部２３０から差し込む光では、採光部２１０と放光部２３０との距離が離れているために、この傾向が特に顕著に現れることになる。
【００１７】
このように光ダクト２００の放光部２３０では、自然光に含まれる青色光が減少して、その結果、その補色である黄色を帯びた光となる。この光の黄ばみは自然光とは異質のため、補正して違和感のない光色に補正することが強く望まれる。
【００１８】
図１の照明装置１００は、照明用光源１１０、補正用光源１２０、センサ１３０、算出部１５０、制御部１４０を備える。
【００１９】
照明用光源１１０は、光ダクト２００の放光部２３０に設けられる白色光源（例えば白色LED）である。ここで白色とは、例えば、色度が黒体放射軌跡上3500K〜6500Kの近傍の色味である。照明用光源１１０は、例えばアクリル等の透明基板（図示せず）の一面に複数配置して、この透明基板を光ダクト２００の放光部２３０に設置することができる。
【００２０】
照明用光源１１０は、日中の天候の影響で自然光のみでは屋内の光量が不足する場合や、夜間に自然光が利用できない場合等に用いられる。照明用光源１１０の発光は、後述の制御部１４０が屋内の光量が常に一定となるようにON、OFFの切り替えや光量を自動で制御するものであってもよいし、ユーザが手動でON、OFFの切り替えや光量を調整するものであってもよい。
【００２１】
補正用光源１２０は、光ダクト２００の放光部２３０に設けられる発光素子（LED）である。補正用光源１２０は、照明用光源１１０と同様に透明基板の一面に複数配置することができる。補正用光源１２０は、発光する光の分光分布を変化させることで、光ダクト２００の放光部２３０から屋内に差し込む光の減衰した波長成分を補う。すなわち、本実施形態では、光ダクト２００の放光部２３０から屋内に差し込む光の黄ばみを補正し、所望の光色（例えば白色光）にする。
【００２２】
本実施形態の補正用光源１２０は、青色波長域（例えば400-500nm）に含まれる光を発光する青色LEDである。すなわち、この補正用光源１２０の光と採光部２１０から取り込まれてダクト２２０内を反射しながら放光部２３０に到達する光（外光）のバランスにより、光の黄ばみを補正することができる。なお、ここでは例として補正用光源１２０の発光する光を波長480nmの単色光とする。
【００２３】
センサ１３０は、外光の波長成分ごとのエネルギー量（分光分布）を測定する。このようなセンサ１３０としては、例えば光起電力効果を利用するフォトダイオード（PD：Photodiode）等を用いることができる。
【００２４】
制御部１４０は、センサ１３０が測定する外光の分光分布を用いて、光ダクト２００の放光部２３０から屋内に差し込む光（照明光）の黄ばみを補正する方向、すなわち照明光を白色に近づける方向に補正用光源１２０の分光分布を変化させる。この際には、例えばCIE表色系の色度図を用いることができる。CIE表色系には、RGB表色系やXYZ表色系等が存在するが、ここではXYZ表色系を用いる例を説明する。
【００２５】
図４は、XYZ表色系の色度図を示す図である。光の色味はこの色度図上の座標（色度座標）として定量的に表現される。このとき、図中の実線で囲まれた馬蹄形領域の周縁部（実線上）は、スペクトル軌跡と呼ばれ、波長が記入してある通り、単色光を表している。なお、光の色度座標は、JISに規定される公知の方法で算出することができる。
【００２６】
図５に示すように、光ダクト２００の採光部２１０における自然光の色味をA点（白色）とする。また、放光部２３０における外光の色味をB点（黄色）とする。前述の通り、採光部２１０からダクト２２０内に取り込まれる自然光は、ダクト２２０内を反射することで青色成分が減衰し、放光部２３０において黄ばみを有する。すなわち、自然光がダクト２２０内を伝播する過程で、放光部２３０に到達した際の外光の色度座標は黄ばみの影響でB点に移動する。
【００２７】
このとき、補正用光源１２０の光の色味をC点（青色）とする。補正用光源１２０の光としては、前述のように青色波長域（例えば400-500nm）に含まれる光であればよいが、例えば光ダクト２００の構成に基づいて、各放光部２３０について外光の黄ばみの特性（B点）を予め調べておくことで、色度図においてA点とB点を結ぶ直線上であり、かつA点よりも青色側に色味を有する光であることが好ましい。
【００２８】
制御部１４０は、センサ１３０が測定する分光分布を用いて、例えば次のように補正用光源１２０の光量を算出する。センサ１３０から得る光ダクト２００の放光部２３０における外光の分光分布をP２(λ)とし、補正用光源１２０の光の分光分布をP３(λ)とする。この場合、外光と補正用光源１２０の光との混合光（照明光）の色度座標（x,y）は次式で与えられる。すなわち、（式３）乃至（式５）を代入することで、（式１）および（式２）は分光分布を変数とする、色度座標を算出するための関数である。
【数１】
0005816131.tif 000002
【００２９】
したがって、例えば予め設定することができる所望の色度座標（x0,y0）（以下、基準色度座標）と、上式で与えられる照明光の色度座標（x,y）との色度図上におけるユークリッド距離が最小になる方向に補正用光源１２０の光の分光分布を算出する。そして、制御部１４０は算出した分光分布に近づくように補正用光源１２０の発光を開ループで制御する。
【００３０】
なお、基準色度座標としては、予め設定しておくものとしたが、ユーザが図示しないコントローラ等の入力手段を用いて、所望の色味を基準色度座標として指定または調整するものであってもよい。
【００３１】
また、ここではダクト２２０の反射特性により放光部２３０での光が黄ばむとして説明したが、色ずれはこれに限るわけではない。色ずれはダクト２２０内の反射面の反射特性によって個々に異なる。場合によっては、図５に示すように、赤色波長域（例えば、600nm-700nm）の方向に色ずれ（B’点）が生じることもある。ダクト２２０の反射特性に応じて、本実施形態の方法を用いることで、黄ばみ以外の色ずれに対しても適用することが可能である。
【００３２】
また、センサ１３０としては、フォトダイオードに、特定の波長の光を透過させる色フィルタ（ダイクロイックフィルタ）を付けた素子構成とすることもできる。すなわち、青色波長域に含まれる所定の波長（青波長）の光を透過させる色フィルタを付けたセンサと、黄色波長域（例えば、550nm-600nm）に含まれる所定の波長（黄波長）の光を透過させる色フィルタをつけたセンサとが、外光の青波長および黄波長のエネルギー量をそれぞれ測定することができる。
【００３３】
また、補正用光源１２０としては、単色光を発光するものとして説明をしたが、例えば所定の波長領域幅を有する光を発光するものであってもよい。
【００３４】
本実施形態の照明装置１００および光ダクト２００によれば、光ダクト２００から差し込む照明光の色味を調整することが可能となる。
【００３５】
また、本実施形態の照明装置１００および光ダクト２００によれば、自然光を照明として用いる日中と、LED光源を照明として用いる夜間ともに屋内の天井の同じスペースを照明として機能させることができる。これにより、日中と夜間とで照明の位置が変わることによる違和感を低減させることができる。また、照明装置１００の設置スペースを光ダクト２００の放光部２３０と共有することができ、屋内の天井の開放感を向上させることができ、かつ天井のスペースの有効利用が可能となる。
【００３６】
（変形例）
図６は第一の実施形態の変形例に係る照明装置１００の構成図である。
【００３７】
図６の照明装置１００では、センサ１３０が外光と補正用光源１２０の光との混合光（照明光）の分光分布を測定する。
【００３８】
制御部１４０は、センサ１３０が測定する分光分布を用いて、照明光の色度座標（x,y）を算出する。そして、算出した照明光の色度座標（x,y）と基準色度座標（x0,y0）との色度図上におけるユークリッド距離が最小になる方向に補正用光源１２０の光の分光分布を算出する。そして、制御部１４０は算出した分光分布に近づくように補正用光源１２０の発光を制御する。
【００３９】
このように、本変形例の照明装置１００では、センサ１１０が測定する照明光の分光分布の実測値を用いて照明光の色度座標を算出するので、閉ループ制御による補正用光源の発光の高精度な制御が可能となる。
【００４０】
（第二の実施形態）
図７は第二の実施形態に係る照明装置３００の構成図である。本実施形態の照明装置３００は、異なる波長の光を発する複数の補正用光源１２０を備える点で第一の実施形態の照明装置１００とは異なる。なお、第一の実施形態の照明装置１００と同様の構成については、同一の符号を付し詳細な説明は省略する。
【００４１】
第一の実施形態の照明装置１００では、補正用光源１２０が１種類なので、図４の色度図に示すように、補正用光源１２０の色度座標と外光の色度座標とを結ぶ直線上で光の色味の補正が可能である。
【００４２】
しかしながら、基準色度座標は必ずしも上記の直線上にあるわけではなく、基準色度座標と照明光の色度座標のユークリッド距離が最小であっても十分に所望の色味に近づけることができない場合もある。
【００４３】
また、光ダクト２００の採光部２１０から採光する自然光の色味は一定ではなく、朝から夕にかけて時々刻々変化する。したがって、例えば屋内の照明光を自然光の色味に常時一致させる場合には、基準色度座標と照明光の色度座標のユークリッド距離が最小であっても十分に所望の色味に近づけることができない場合もある。
【００４４】
そこで、本実施形態の照明装置３００では、異なる波長の光を発する複数の補正用光源１２０を備えることで、第一の実施形態の照明装置１００と比較して、さらに自由度の高い補正が可能となる。
【００４５】
本実施形態の補正用光源１２０は、青色波長域（例えば400-500nm）に含まれる異なる波長の光を発光する２種類の青色LEDを備える。なお、ここでは例として、照明装置は、波長490nmの単色光を発光する補正用光源（第１補正用光源）１２０aと、波長470nmの単色光を発光する補正用光源（第２補正用光源）１２０bを備える。
【００４６】
図８の色度図に示すように、例えば時間経過等の影響で自然光の色味（A点）は所定の領域Pの範囲内で変化する。また、光ダクト２００の放光部２３０における外光の色味をB点、第１補正用光源１２０aが発する光の色味をD点、第２補正用光源１２０bが発する光の色味をE点とする。
【００４７】
このとき、制御部１４０は第１補正用光源１２０aおよび第２補正用光源１２０bの分光分布を変化させることで、図８の色度図のB点、D点、E点を結ぶ領域Q内で光の色味の補正が可能である。
【００４８】
したがって、本実施形態の照明装置３００では、このように異なる波長の光を発する第１補正用光源１２０aと第２補正用光源１２０bを備えることで、自然光の色味（すなわち、基準色度座標）が所定の範囲内で変化する場合であっても、領域Q内での自由度の高い光の補正により十分に所望の色味に近づけることが可能となる。
【００４９】
さらに、放光部２３０を複数有する光ダクト２００では、採光部２１０からの距離が異なるために放光部２３０ごとに差し込み光の色味は変化する。すなわち、図８の色度図に示すように光の色ずれにより光の色味は領域R内で変化する。本実施形態の照明装置３００では、このような場合であっても、領域Q内での自由度の高い光の補正により十分に所望の色味に近づけることが可能となる。
【００５０】
（第三の実施形態）
図９は、第三の実施形態に係る照明装置５００の構成図である。図９の照明装置５００は、照明用光源１１０、補正用光源１２０、センサ１３０をモジュールとして備える点で他の実施形態の照明装置１００、３００とは異なる。なお、他の実施形態の照明装置１００、３００と同様の構成については、同一の符号を付し詳細な説明は省略する。
【００５１】
図９の照明装置５００は、光ダクト２００の放光部２３０に取り付ける矩形状の枠５１０と、枠５１０の内側面に嵌め込まれる平板５２０と、この平板５２０の面内に配置される照明用光源１１０および補正用光源１２０と、枠５１０の内側面に設けられるセンサ１３０とをモジュールとして備える。また、制御部１４０は、他の構成と同様にモジュールとして備えるものであってもよいし、モジュールとは別に備えるものであってもよい。
【００５２】
枠５１０は、内側面に溝が形成されている矩形状の部材である。また、枠５１０の材質としては、アルミ等の熱伝導性に優れる金属材料（例えば、熱伝導率：237 W・m-1・K-1）を用いる。また、枠５１０には光ダクト２００の放光部２３０に固定するための固定機構（図示せず）が設けられる。なお、固定機構としては公知の技術を用いることとし、ここでは詳細な説明を省略する。
【００５３】
平板５２０は、光を透過する透明色のアクリル等（例えば、可視光透過率：95%）を材質とする面状の部材であり、光ダクト２００からの外光を屋内に透過する。平板５２０は、枠５１０の溝に嵌め込まれる（嵌合される）ことで枠に対して固定される。この平板５２０の面には、枠を光ダクトの放光部に固定した際に発光方向（光の進行方向）が屋内側を向くように複数の照明用光源１１０と複数の補正用光源１２０が配置される。このとき、照明用光源１１０と補正用光源１２０は互いに独立して配線５３０により制御部１４０に接続される。
【００５４】
センサ１３０は、枠５１０の内側面の各光源よりも採光部２１０から遠い位置（下流）に設けられ、平板５２０を透過する外光と補正用光源１２０の光との混合光（照明光）の分光分布を測定する。なお、センサ１３０は、枠５１０の内側面の各光源よりも採光部２１０に近い位置（上流）に設けられ、外光の分光分布を測定するものであってもよい。
【００５５】
また、平板５２０としては、光を拡散する乳白色のアクリル等（例えば、可視光透過率：95%）を材質とすることもできる。これにより、平板５２０を透過する光を拡散することで、混合光の偏りを低減させることができる。
【００５６】
また、平板５２０としては、光を透過する透過モードと光を拡散する拡散モードとを切り替えることが可能な部材を用いることができる。これには、例えば内部に液晶分子を有する部材を用いる。モードの切り替えには、制御部１４０が平板５２０に対して電圧を印加することで、内部の液晶分子の配向や配置をコントロールする。すなわち、入射する光の屈折率を変化させることで、光を拡散することができる。これにより、例えば、自然光を照明として用いる場合には、平板５２０を透過モードとして用いることでより自然な光を照明として利用できる。一方、照明用光源１１０の光を照明として用いる場合には、平板５２０を拡散モードとして用い、照明用光源１１０直上での光の輝度を低減することで、平板５２０の面内で光の輝度を一様に近づけることができる。
【００５７】
本実施形態の照明装置５００によれば、照明装置５００をモジュールとすることで、照明装置５００の施工・保守を容易に行うことが可能となる。したがって、光ダクト２００の放光部２３０が複数存在する場合には特に有効である。
【００５８】
ところで、LEDはエレクトロルミネセンスという現象により電気エネルギーを光エネルギーへ変換している。そのエネルギー変換効率は３割程度であり、残りは無駄な熱エネルギーになって散逸してしまう。また、照明用光源１１０として白色LEDを用いる場合、白色LEDのスペクトルは可視光成分がほとんどであり、熱を伝える赤外放射がほとんど含まれないため、LED自体の輻射による放熱が期待できない。このため過熱状態が続いてLEDのジャンクション温度が上昇し、その結果、発光量が低下し、LEDの素子の寿命が短くなる。
【００５９】
したがって、本実施形態の照明装置５００によれば、各光源からの熱が伝わり熱伝導性に優れる枠を放熱性の高い光ダクト２００の放光部２３０に設け、各光源からの熱を光ダクトに逃がすことで、照明装置５００の放熱性能を向上させることができる。
【００６０】
また、図１０に示すように、ダクト２２０の端部に補正用光源１１０を備え、放光部２３０の直上に設けられるプリズム３４０、プリズム３４０上に設けられるセンサ１３０を備える構成とすることもできる。このとき、プリズム３４０は補正用光源１１０の光と、ダクト２２０を導光した後の外光を屋内に反射する。また、プリズム３４０内に入射する一部の外光をセンサ１３０に対して反射し、センサ１３０はこの外光の分光分布を測定する。
【００６１】
以上説明した少なくとも１つの実施形態の照明装置および光ダクトによれば、ダクト内を導光した後の光の色味を所望の色味に調整することが可能となる。また、光ダクトの放光部に照明用光源を設けるため、複数の放光部を有する光ダクトであっても十分な光量の照明光を屋内に供給することができる。
【００６２】
これら実施形態は、例として提示したものであり、発明の範囲を限定することは意図していない。これら実施形態は、その他の様々な形態で実施されることが可能であり、発明の要旨を逸脱しない範囲で、様々の省略、置き換え、変更を行うことができる。これら実施形態やその変形は、発明の範囲や要旨に含まれると同時に、特許請求の範囲に記載された発明とその均等の範囲に含まれるものである。
【符号の説明】
【００６３】
１００、３００、５００・・・照明装置
１１０・・・照明用光源
１２０・・・補正用光源
１３０・・・センサ
１４０・・・制御部
２００・・・光ダクト
２１０・・・採光部
２２０・・・ダクト
２３０・・・放光部
１２０a・・・第１補正用光源
１２０b・・・第２補正用光源
５１０・・・枠
５２０・・・平板
５３０・・・配線
５４０・・・プリズム
【図１】
0005816131.tif 000003
【図３】
0005816131.tif 000004
【図４】
0005816131.tif 000005
【図５】
0005816131.tif 000006
【図６】
0005816131.tif 000007
【図７】
0005816131.tif 000008
【図８】
0005816131.tif 000009
【図２】
0005816131.tif 000010
【図９】
0005816131.tif 000011
【図１０】
0005816131.tif 000012